(57)【要約】【課題】導光板表面の３次元的屈曲面を２段階で精密に追跡しながら微細な光学的な散乱パターンを正確で切れなしに連続して加工する自動平行調整スクレイパー加工装置を提供する。【解決手段】内部に弾性体を含み、導光板表面の屈曲面に対して平行に調整された状態で接触する１段階駆動力を発生する屈曲調整部；前記屈曲調整部に遊動可能に結合し、前記１段階駆動力を受けて伝達する伝達部；前記伝達部に回動可能に結合し、前記１段階駆動力を伝達するヒンジ部；前記ヒンジ部に固定結合し、多数の歯部を備え、前記１段階駆動力によって前記導光板の屈曲した表面に対して平行に調整された状態で接触して微細な光学的散乱パターンの溝を加工する加工部を含んでなる。【選択図】  図８
2011245613.tif 000002
【特許請求の範囲】
【請求項１】
内部に弾性体を含み、導光板表面の屈曲面に対して平行に調整された状態で接触する１段階駆動力を発生する屈曲調整部；
前記屈曲調整部に遊動可能に結合し、前記１段階駆動力を受けて伝達する伝達部；
前記伝達部に回動可能に結合し、前記１段階駆動力を伝達するヒンジ部；
前記ヒンジ部に固定結合し、多数の歯部を備え、前記１段階駆動力によって前記導光板の屈曲した表面に対して平行に調整された状態で接触して微細な光学的散乱パターンの溝を加工する加工部；を含んでなることを特徴とする、自動平行調整スクレイパー加工装置。
【請求項２】
前記伝達部に固定され、内部に弾性体と平行ロッド部を含み、前記多数の歯部が前記導光板表面の屈曲面に対して平行をなして均一な圧力で接触する２段階駆動力を発生する平行調整部；をさらに含むことを特徴とする、請求項１に記載の自動平行調整スクレイパー加工装置。
【請求項３】
前記平行調整部は、
前記伝達部の胴体に固定結合し、一側端部は完全開放され内側壁に螺糸山が形成され、他端部は部分的に開放された平行ホール；
前記平行ホールに収納され、弾性体によって２段階の駆動力を発生する平行弾性部；
前記平行ホールの前記螺糸山と螺合して前記平行弾性部の収納状態を維持し、前記駆動力の強度をそれぞれ調整するバタフライボルト部；及び
前記平行ホールの部分的に開放されたホールに遊動可能に結合し、前記駆動力を伝達する平行ロッド部；を含んでなることを特徴とする、請求項２に記載の自動平行調整スクレイパー加工装置。
【請求項４】
前記平行調整部は、
前記伝達部に横方向または縦方向に一つ以上を備えることを特徴とする、請求項３に記載の自動平行調整スクレイパー加工装置。
【請求項５】
前記屈曲調整部は、
前記弾性体によって１段階の駆動力を発生する駆動部；
前記駆動部を収納し、一側端部が完全開放され内側壁に螺糸山が形成された駆動ホールを備え、他端部は部分的に開放されて伝達ホールをなす駆動胴体部；及び
前記駆動胴体部の前記螺糸山と螺合して前記駆動ホールの開放部分を閉塞し、前記駆動部の収納状態を維持し、駆動力の強度を調整する栓ボルト部；を含んでなることを特徴とする、請求項１に記載の自動平行調整スクレイパー加工装置。
【請求項６】
前記伝達部は、
前記屈曲調整部の伝達ホールに遊動可能に挿合され、係止段によって離脱が防止され、前記１段階駆動力を受ける伝達ヘッド部；
前記伝達ヘッド部に固定結合し、前記１段階駆動力を受けて伝達する伝達ロッド部；
前記伝達ロッド部に固定結合し、前記１段階駆動力を伝達する伝達胴体部；
前記伝達胴体部の下側に形成され、前記ヒンジ部と回動可能に結合するヒンジ収納部；及び
前記ヒンジ収納部の側壁に形成されるヒンジ軸孔；を含んでなることを特徴とする、請求項１に記載の自動平行調整スクレイパー加工装置。
【請求項７】
前記ヒンジ収納部は、
一側壁が開放されたものあるいは一側壁が開放されなかったものであることを特徴とする、請求項６に記載の自動平行調整スクレイパー加工装置。
【請求項８】
前記ヒンジ部は、
前記伝達部のヒンジ軸孔に挿入されて固定結合するヒンジ軸；
前記ヒンジ軸が挿入されて回動可能に結合するヒンジホール；及び
前記ヒンジホールをなし、前記ヒンジ軸が伝達する駆動力を受けるヒンジロッド；を含んでなることを特徴とする、請求項１に記載の自動平行調整スクレイパー加工装置。
【請求項９】
前記ヒンジホールを中心として前記ヒンジロッドの反対方向に平行棒部；をさらに含むことを特徴とする、請求項８に記載の自動平行調整スクレイパー加工装置。
【請求項１０】
前記ヒンジホールは、円形、楕円形及び三角形の中で選ばれたいずれか一つの形状を有することを特徴とする、請求項９に記載の自動平行調整スクレイパー加工装置。
【請求項１１】
前記ヒンジ部は一つに形成されたものまたは中央が分離されて両側に対称に形成されたものであることを特徴とする、請求項８に記載の自動平行調整スクレイパー加工装置。
【請求項１２】
前記加工部は、
前記屈曲調整部の中心軸を基準として±５度の範囲内で左右に平行を調整することを特徴とする、請求項１に記載の自動平行調整スクレイパー加工装置。
【発明の詳細な説明】
【技術分野】
【０００１】
本発明はエッジ型（ｅｄｇｅ−ｔｙｐｅ）導光板の表面に光学的な散乱パターンを均一な深さにスクレイピング（ｓｃｒａｐｉｎｇ）して加工するスクレイパー（ｓｃｒａｐｅｒ）に係り、より詳しくは導光板表面の３次元（３Ｄ）的屈曲面を２段階で精密に追跡しながら微細な光学的な散乱パターンを正確で切れないように連続的に加工する自動平行調整スクレイパー加工装置に関する。
【背景技術】
【０００２】
情報には視覚を用いる情報の外に、聴覚、嗅覚、触覚、感覚などを用いる情報がさらにあり得る。
【０００３】
情報を伝達する場合、指定された相手が認識できるように表示しなければならなく、表示方式には、紙などに文字、絵、記号などのように動かない視覚媒体で伝達する受動表示方式と、ＬＣＤ（Ｌｉｑｕｉｄ
Ｃｒｙｓｔａｌ Ｄｉｓｐｌａｙ）などのように文字、絵、記号などに光、動画がさらに含まれた非常に多様な視覚的媒体によって大量の情報を伝達する能動表示方式とがある。
【０００４】
能動的な表示装置には、一例として、ブラウン管表示装置、薄膜トランジスタ（Ｔｈｉｎ Ｆｉｌｍ
Ｔｒａｎｓｉｓｔｏｒ：ＴＦＴ）技術などを応用するフラットパネルディスプレイ（Ｆｌａｔ Ｐａｎｅｌ Ｄｉｓｐｌａｙ：ＦＰＤ）方式のＬＣＤ（Ｌｉｑｕｉｄ
Ｃｒｙｓｔａｌ Ｄｉｓｐｌａｙ）表示装置などがある。
【０００５】
ＬＣＤ表示装置は固体と液体の中間状態の結晶（ｃｒｙｓｔａｌ）であり、３次元的に結晶の方向性を制御する液体結晶または液晶（ｌｉｑｕｉｄ
ｃｒｙｓｔａｌ）を用いて光の反射と投光を制御するので情報を視覚的に表示する。
【０００６】
また、ＬＣＤ表示装置はそれぞれの画素（ｐｉｘｅｌ）を構成する液晶をデジタル方式で制御するので、より明確で鮮明な映像情報を提供し、情報の表示面積を比較的大きく拡張することができ、画質が優れ、重さ、体積及び消費電力などを減らすとともに移動性及び携帯性に優れた利点がある。
【０００７】
しかし、ＬＣＤ表示装置は自ら発光するブラウン管表示装置とは異なり、自ら発光することができないので、無光の所で使うために光源を別に備えなければならない。
【０００８】
ここで、光源を前方に配置して光を供給する反射方式、後方に配置して光を供給する透過方式、及びこれらの反射と透過を組み合わせた方式がある。
【０００９】
このような透過方式に使われる光供給装置をバックライトユニット（Ｂａｃｋ Ｌｉｇｈｔ Ｕｎｉｔ：ＢＬＵ）といい、反射方式に使われる光供給装置はフロントライトユニット（Ｆｒｏｎｔ
Ｌｉｇｈｔ Ｕｎｉｔ：ＦＬＵ）と言う。
【００１０】
この中で、バックライトユニット（ＢＬＵ）は光源の配置方式によってさらに直下型（ｄｉｒｅｃｔ
ｌｉｇｈｔｉｎｇ）と側面型（ｅｄｇｅ ｌｉｇｈｔｉｎｇ）に区分される。
【００１１】
一般的な光源は点（ｐｏｉｎｔ）光源であり、多数の点光源を一列に配置する場合は線光源となり、多数の線光源を隣接して連続的に配置する場合は面光源となる。
【００１２】
ＬＣＤ表示装置は面光源を必要とし、特に、透過方式のＬＣＤ表示装置においては、情報が表示される広い面積から均一な輝度の面光源を放出させるために、光源の光を均一に散乱させる拡散板または導光板（以下、導光板という）構造を要する。
【００１３】
以下の説明において、ＬＣＤ表示装置は一例であるだけ、本発明は光源の光を広い面積に均一に散乱させる導光板の機能をするもので、ＬＣＤ表示装置を含む多様な電子的表示装置分野に適用することができる。
【００１４】
直下型バックライトユニットは導光板の下側に多数の光源を配置して面光源を形成し導光板で均一な輝度で散乱させて液晶板に入射させる構造であり、側面型は側面（ｅｄｇｅ）に一列で配置された多数の光源から入射した光を導光板で均一に散乱させることで面光源に変換してから液晶板に入射させる構造である。
【００１５】
すなわち、バックライトユニット装置は、光源、導光板及び反射板を含むものが一般的な構造である。
【００１６】
エッジ型バックライトユニット装置は、導光板の側面に光源を配置するので、比較的厚さが薄い構造的特徴があり、携帯用装備などのように小型、軽量及び薄型を要求する装備に主に使われ、直下型バックライト装置は、導光板の底面に光源を配置するので、比較的厚さが厚くなるが、光効率に優れて表示画像の品質を高めるので、ＴＶ用モニターなどのように大型画面を要求する装備に主に使用される。
【００１７】
このようなエッジ型バックライトと直下型バックライトが含まれる導光板は、光源から入射した光を屈折、正反射、乱反射、または回折させるので、導光板の全面で均一に散乱させて面光源に変換するために、所定形状の光学的散乱パターン（ｓｃａｔｔｅｒｉｎｇ
ｐａｔｔｅｒｎ）を有するものが一般的である。
【００１８】
導光板に光学的散乱パターンを有する通常的な方法の一つは樹脂（ｒｅｓｉｎ）、ビード（ｂｅａｄ）及び接着剤が混合されたインクを用いてスクリーン印刷（ｓｃｒｅｅｎ
ｐｒｉｎｔ）を行う方式がある。
【００１９】
このような印刷方式は、インクに混合された樹脂とビードの粒子状態及び混合される接着剤の容量の違い、あるいは導光板の表面状態などによって均一に繰り返し印刷しにくいし、不良発生が非常に多くなる。
【００２０】
また、光学的散乱パターンが複雑な場合、インクが広がるか偏って模様が崩れるので、均一な輝度の面光源に変換しにくく、時間が経つにつれて印刷された光学的散乱パターンの一部が分離されて寿命を短縮させるなどの問題点がある。
【００２１】
ここで、導光板自体の表面に化学的腐食、レーザーまたは機械的加工などで凹凸を形成または成形（以下、‘形成’という）する技術が注目されているが、腐食技術とレーザー加工の技術は凹凸の深さなどを精密に制御しにくく、工程が比較的複雑で値段が高いなどの問題がある。
【００２２】
一方、ＬＣＤ表示装置は、移動性などを高めるために、軽量及び薄型のものを要求するので、導光板の厚さが薄くなるとともに導光板に加工される光学的散乱パターンの深さも非常に浅く形成される。
【００２３】
また、導光板の表面は非常に偏平であることを要求しているが、生産、保管及び加工の際に重力などによって非常に小さな屈曲が形成される。
【００２４】
屈曲が形成されて偏平でない導光板は表面に光学的散乱パターンの凹凸を均一な深さに形成しにくい問題がある。
【００２５】
また、偏平でない導光板に光学的散乱パターンの凹凸を加工する場合、特定部分に散乱パターンが連続的に加工されずに不連続的に加工される問題がある。
【００２６】
したがって、導光板が偏平でない場合にも機械的なスクレイパーを用いて光学的散乱パターンの凹凸を均一な深さに正確に加工する技術を開発する必要がある。
【００２７】
また、導光板の偏平でなくて３次元的に微細に屈曲した表面に沿って精密な光学的散乱パターンによる凹凸を切れなしに正確に連続的に加工するスクレイパー装置を開発する必要がある。
【特許文献１】韓国特許１００６９８０４１号公報
【特許文献２】韓国特開１０−２００４−００６０６９８号公報
【特許文献３】韓国特開１０−２００８−００９５９３０号公報
【特許文献４】韓国特開１０−２００９−０１１９６７８号公報
【発明の概要】
【発明が解決しようとする課題】
【００２８】
したがって、本発明は、導光板の表面が偏平でない場合にも機械的なスクレイパーを用いて光学的散乱パターンの凹凸を均一な深さに加工する自動平行調整スクレイパー加工装置を提供することがその目的である。
【００２９】
また、本発明は、導光板表面の偏平でない３次元的屈曲面に沿って移動しながら切れなしに連続して光学的散乱パターンを加工する自動平行調整スクレイパー加工装置を提供することがその他の目的である。
【００３０】
また、本発明は、導光板表面の屈曲を２段階で微細に追跡しながら精密な光学的散乱パターンを切れなしに連続的に正確に加工する自動平行調整スクレイパー加工装置を提供することがそのさらに他の目的である。
【課題を解決するための手段】
【００３１】
前記のような目的を達成するために、本発明は、内部に弾性体を含み、導光板表面の屈曲面に対して平行に調整された状態で接触する１段階駆動力を発生する屈曲調整部；前記屈曲調整部に遊動可能に結合し、前記１段階駆動力を受けて伝達する伝達部；前記伝達部に回動可能に結合し、前記１段階駆動力を伝達するヒンジ部；前記ヒンジ部に固定結合し、多数の歯部を備え、前記１段階駆動力によって前記導光板の屈曲した表面に対して平行に調整された状態で接触して微細な光学的散乱パターンの溝を加工する加工部；を含んでなる自動平行調整スクレイパー加工装置を提供する。
【００３２】
前記加工装置は、前記伝達部に固定され、内部に弾性体と平行ロッド部を含み、前記多数の歯部が前記導光板表面の屈曲面に対して平行をなして均一な圧力で接触する２段階駆動力を発生する平行調整部をさらに含むこともできる。
【００３３】
前記平行調整部は、前記伝達部の胴体に固定結合し、一側端部は完全開放され内側壁に螺糸山が形成され、他端部は部分的に開放された平行ホール；前記平行ホールに収納され、弾性体によって２段階の駆動力を発生する平行弾性部；前記平行ホールの前記螺糸山と螺合して前記平行弾性部の収納状態を維持し、前記駆動力の強度をそれぞれ調整するバタフライボルト部；及び前記平行ホールの部分的に開放されたホールに遊動可能に結合し、前記駆動力を伝達する平行ロッド部；を含んでなることもできる。
【００３４】
前記平行調整部は、前記伝達部に横方向または縦方向に一つ以上を備えることもできる。
【００３５】
前記屈曲調整部は、前記弾性体によって１段階の駆動力を発生する駆動部；前記駆動部を収納し、一側端部が完全開放され内側壁に螺糸山が形成された駆動ホールを備え、他端部は部分的に開放されて伝達ホールをなす駆動胴体部；及び前記駆動胴体部の前記螺糸山と螺合して前記駆動ホールの開放部分を閉塞し、前記駆動部の収納状態を維持し、駆動力の強度を調整する栓ボルト部；を含んでなることもできる。
【００３６】
前記伝達部は、前記屈曲調整部の伝達ホールに遊動可能に挿合され、係止段によって離脱が防止され、前記１段階駆動力を受ける伝達ヘッド部；前記伝達ヘッド部に固定結合し、前記１段階駆動力を受けて伝達する伝達ロッド部；前記伝達ロッド部に固定結合し、前記１段階駆動力を伝達する伝達胴体部；前記伝達胴体部の下側に形成され、前記ヒンジ部と回動可能に結合するヒンジ収納部；及び前記ヒンジ収納部の側壁に形成されるヒンジ軸孔；を含んでなることもできる。
【００３７】
前記ヒンジ収納部は、一側壁が開放されたものあるいは一側壁が開放されなかったものであってもよい。
【００３８】
前記ヒンジ部は、前記伝達部のヒンジ軸孔に挿入されて固定結合するヒンジ軸；前記ヒンジ軸が挿入されて回動可能に結合するヒンジホール；及び前記ヒンジホールをなし、前記ヒンジ軸が伝達する駆動力を受けるヒンジロッド；を含んでなることもできる。
【００３９】
前記加工装置は、前記ヒンジホールを中心として前記ヒンジロッドの反対方向に平行棒部；をさらに含むこともできる。
【００４０】
前記ヒンジホールは、円形、楕円形及び三角形の中で選ばれたいずれか一つの形状を有することもできる。
【００４１】
前記ヒンジ部は一つに形成されたものまたは中央が分離されて両側に対称に形成されたものであってもよい。
【００４２】
前記加工部は、前記屈曲調整部の中心軸を基準として±５度の範囲内で左右に平行を調整することもできる。
【発明の効果】
【００４３】
前記のような構成の本発明は、機械的なスクレイパー装置を用いて導光板の偏平でない表面に均一な深さの微細な光学的散乱パターンを加工する産業的利用効果がある。
【００４４】
また、前記のような構成の本発明は、導光板の表面の３次元的屈曲面を精密に追跡しながら微細な光学的散乱パターンを切れなし連続した状態に精密に加工する使用上便利な効果がある。
【００４５】
一方、前記のような構成の本発明は、導光板の屈曲したかまたは歪んだ表面を２段階で微細に追跡しながら精密な散乱パターンを切れなしに正確で連続的に加工する産業的利用効果がある。
【図面の簡単な説明】
【００４６】
【図１】本発明の技術を説明するためのバックライトユニットの断面図である。
【図２】本発明の一実施例による導光板と光源の配置状態及び構成を説明する機能図である。
【図３】本発明の他の実施例による導光板と光源の配置状態を説明する機能図である。
【図４】本発明の一実施例による導光板の表面に散乱パターンをスクレイピングする方式を説明する斜視図である。
【図５】本発明の一実施例による外形が変形された導光板を示す斜視図である。
【図６】本発明の一実施例による変形が発生した状態を説明するための導光板の断面図である。
【図７】本発明の一実施例による自動平行調整スクレイパー加工装置の斜視図である。
【図８】本発明の一実施例による自動平行調整スクレイパー加工装置の機能断面図である。
【図９】本発明の一実施例による自動平行調整スクレイパー加工装置のヒンジ収納部の機能斜視図である。
【図１０】本発明の他の実施例による自動平行調整スクレイパー加工装置の機能構成図である。
【図１１】本発明のさらに他の実施例による自動平行調整スクレイパー加工装置の機能断面図である。
【図１２】本発明の一実施例による自動平行調整スクレイパー加工装置の平行調整部の機能断面図である。
【図１３】本発明の一実施例による自動平行調整スクレイパー加工装置の三角形ヒンジホールの作用を説明する断面図である。
【図１４】本発明の一実施例による自動平行調整スクレイパー加工装置を一直線状に多数連結したスクレイパー加工装置アセンブリーの組立状態を示す斜視図である。
【発明を実施するための形態】
【００４７】
本明細書及び請求範囲に使用される用語や単語は通常の意味または辞書的な意味に限定して解釈してはいけなく、発明者は自分の発明を最良の方法で説明するために用語の概念を適切に定義することができるという原則に従って本発明の技術的思想に合う意味と概念に解釈されなければならない。本発明の要旨を不必要にあいまいにすることができると判断される公知の機能及び構成についての詳細な説明及び図示は省略する。
【００４８】
本発明において、平行と言うのは、導光板の指定位置で表面がなす直線とスクレイパーの多数の歯部端を連結した直線が互いに平行を成すことを言う。これは、導光板に微細な光学的散乱パターンを均一で一定の深さに正確に加工するためのものである。
【００４９】
自動平行調整とは、歯部の端を連結した直線が接触した導光板の表面の中で微細な屈曲が発生した位置で平行を自動で調整することを意味する。
【００５０】
情報は視覚情報、聴覚情報、嗅覚情報、触覚情報などに区分することができ、視覚情報を表示する装置は、ＣＲＴのように自主的に発光する発光性表示装置と、ＬＣＤのように自ら発光することができずに外部の光を用いる非発光性表示装置に区分することができる。
【００５１】
非発光性表示装置は外部から光を供給するバックライト装置（Ｂａｃｋ Ｌｉｇｈｔ Ｕｎｉｔ：ＢＬＵ）が必要であり、バックライト装置は側面から光を供給して面光源に変換するエッジ型と、底面全体から光を供給して面光源として供給する直下型に区分することができる。
【００５２】
有効面積（有効画面）は、バックライト装置によって面光源に変換されてＬＣＤ表示装置に供給されることにより使用者が視覚情報を有効に識別することができるようにする領域である。
【００５３】
光学的パターンもしくは光学パターン（ｏｐｔｉｃａｌ ｐａｔｔｅｒｎ）は多様な模様の散乱パターンによって光を屈折、回折、反射させるので、光の進行経路を変更及び制御するパターンである。
【００５４】
散乱パターン（ｓｃａｔｔｅｒｉｎｇ ｐａｔｔｅｒｎ）は光学パターンを用いて光が所望の領域または部分で均一または非均一に散乱されるようにするパターンであると以下に説明する。
【００５５】
スクレイパー（ｓｃｒａｐｅｒ）は選択された模様を機械的に切削する加工手段を、スクレイピング（ｓｃｒａｐｉｎｇ）はスクレイパーで加工する状態を意味する。
【００５６】
アセンブリー（ａｓｓｅｍｂｌｙ）は互いに違うか同一である多数の部品を一定の規則で組み立てて単一部品に作った状態であり、以下には所定単位に規格化したスクレイパーを一列で配置して一つに組み立てるので、所定の長さに作ったスクレイパーアセンブリーの意味として説明する。
【００５７】
スプリング（ｓｐｒｉｎｇ）は弾性によって動く力を発生するもので、コイルスプリング、リーフスプリングなどのように種類が非常に多く、エアシリンダーは空気を用いて直線状に動く力を発生し、オイルシリンダーはオイルを用いて直線状に動く力を発生する装置であり、以下には動力手段及び駆動手段として説明する。
【００５８】
白点（ｗｈｉｔｅ ｐｏｉｎｔ）は輝度の同じ面光源において特定の点（ｐｏｉｎｔ）領域がより明るい部分または輝度を制御することができない部分であり、線として現れる場合を白線（ｗｈｉｔｅ
ｌｉｎｅ）という。また、白点と反対に、周辺より暗い点は黒点（ｂｌａｃｋ ｐｏｉｎｔ）といい、一般にチップなどの異物などによって現れる現象なので、以下には白点にいずれでも含まれるものとして説明する。
【００５９】
面単位駆動力は力または駆動力が所定大きさの面を介して伝達されるものであり、線単位駆動力は所定長さの線を介して駆動力が伝達されるものであり、点単位駆動力は所定大きさの点を介して駆動力が伝達されるものであると以下に説明する。
【００６０】
ピッチ（ｐｉｔｃｈ）はネジ（ｓｃｒｅｗ）または鋸歯（ｓａｗ
ｔｏｏｔｈ）などにおいて谷と谷または山と山の間隔で、本発明においては、図面の図示を容易にするために、山と山の間隔として図面に図示する。また、同一模様が繰り返されるパターンにおいては、それぞれの模様と模様の間の距離値であると説明する。
【００６１】
本発明の説明において、屈曲と傾斜は同一意味で使用し、文脈によって適切に使用し、一般的に平らな状態は扁平として記録することにする。
【００６２】
図１は本発明の技術を説明するためのバックライトユニットの断面図である。
【００６３】
以下、添付図面を参照して詳細に説明すれば、バックライトユニット１０は、光を生成及び発散する光源１１、光源１１の光を一側面に入射し、底面に形成された散乱パターン１２によって面光源に変換及び出射する導光板１３、導光板１３の底面に備えられ、底面に出射する光を反射する反射シート１４、導光板１３の上面に出射された光を拡散及び散乱させて輝度を均一にする拡散シート１５、拡散シート１５を通過した光がプリズム機能によって正面での輝度が高くなるようにするプリズムシート１６、プリズムシート１６を通過した光が低損失で通過するようにし、外部から印加される所定の衝撃からプリズムシート１６を保護するＤＢＥＦ（Ｄｕａｌ
Ｂｒｉｇｈｔｎｅｓｓ Ｅｎｈａｎｃｅｍｅｎｔ Ｆｉｌｍ）１７、及び光源１１が発散した光が漏洩しないように反射して導光板１３の一側面に入射させるために、光源１１の外側に設置されるリフレクター（ｒｅｆｌｅｃｔｏｒ）１８を含んでなる。
【００６４】
このような構成は、光源１１から導光板１３の側面（ｅｄｇｅ）に入射した光が散乱パターン１２によって全反射及び屈折を繰り返すことにより面光源に変換され、出射過程で反射シート１４によって下面に出射することができなくて上面に出射する。
【００６５】
ここで、散乱パターン１２は光源１１からの距離が遠いほどそのピッチ（ｐｉｔｃｈ）の間隔を段階的に短くして散乱がもっと多く発生する。すなわち、光源１１からの距離が遠い部分では散乱がもっと多く発生することで、全体として同一輝度の面光源に変換させる。
【００６６】
添付図面では光源が導光板の一側面に備えられたものを示しているが、両側面、全側面、選択された側面、または選択された側面の一部に光源を備えることもできる。
【００６７】
このように変換された面光源はＬＣＤ（Ｌｉｑｕｉｄ Ｃｒｙｓｔａｌ Ｄｉｓｐｌａｙ）などのような非発光性で、受光型の平面表示装置または照明看板などに供給される。
【００６８】
このような導光板１３の光学的な散乱パターン１２を成形する方法には、スクリーン印刷、金型加工、カッティングなどの方式がある。
【００６９】
図２は本発明の一実施例による導光板と光源の配置状態及び構成を説明する図である。
【００７０】
以下、図面を参照して詳細に説明すれば、光源１１の一側面にリフレクター１８が配置されることで、光源１１が発散した光を反射するので、光源１１の光は導光板１３の側面にだけ入射する。
【００７１】
光源１１は導光板１３の両側面または全側面にそれぞれ配置することができるが、添付図面では光源１１が導光板１３の一側面にだけ配置されたものを示している。
【００７２】
ここで、導光板１３の広い平面に成形された光学的散乱パターン１２は光源１１からの距離が近いほどそのピッチ（ｐ１）が広く、光源１１からの距離が遠いほどそのピッチ（ｐｎ）が短い。
【００７３】
このような散乱パターンには、直線形、斜線形、波形、放射形、フレネル形などの模様があり、このような模様を応用するかあるいは一つ以上の模様を重複選択して応用することができる。
【００７４】
本発明は、散乱パターンをカッティング（以下、スクレイピングという）方式で成形する技術である。
【００７５】
図３は本発明の他の実施例による導光板と光源の配置状態及び構成を説明する図である。
【００７６】
以下、添付図面を参照して詳細に説明すれば、光源１１とリフレクター１８が導光板１３の両側面にそれぞれ配置され、光源１１の光が導光板１３の両側面にそれぞれ入射する。
【００７７】
導光板１３の平面に成形された光学的散乱パターン１２は光源１１からの距離が近い両側面ではピッチ（ｐ１、ｐｎ）が同一であり、最も広くて光源１１からの距離が遠い部分である中間領域ではピッチ（ｐｎ−ｘ）が最も短い。
【００７８】
ここで、散乱パターン１２は直線形、斜線形、波形、放射形、フレネル形などのように多様な模様のいずれか一つまたはいずれか一つ以上の模様が選択されることができ、スクレイピング方式で加工して成形する場合、直線でなる模様が好ましい。
【００７９】
図４は本発明の一実施例による導光板に散乱パターンをスクレイピングする方式の説明図である。
【００８０】
以下、添付図面を参照して詳細に説明すれば、横と縦に所定の長さを有し、平坦または偏平な導光板２０の一側平面にスクレイパー（ｓｃｒａｐｅｒ）３０を位置させ、矢印方向に直線移動させる。
【００８１】
この際、スクレイパー３０が直線移動しながら導光板２０と接触する下面には多数の歯部３２が指定のピッチ及び深さで備えられている。
【００８２】
本発明による歯部３２の端部は円形を含む多角形状に形成することができ、三角形が比較的好ましい。
【００８３】
また、本発明による歯部３２の間隔であるピッチ（ｐ１、ｐｎ）は０．２ミリメートル（ｍｍ）〜２ミリメートルの範囲の中で選ばれたいずれか一つのピッチで離隔することが非常に好ましい。
【００８４】
ここで、導光板２０の光源が位置する一側面に散乱パターン３４を加工する歯部３２のピッチ（ｐ１）は最大値をなし、光源からの距離が遠い領域に散乱パターン３４を加工する歯部３２のピッチ（ｐｎ）は最小値をなす。
【００８５】
そして、本発明による歯部３２の深さ（ｄ１）は導光板２０に３マイクロメートル（μｍ）〜２０マイクロメートル（μｍ）の深さ（ｄ１）の溝をスクレイピングして加工することができる構造が非常に好ましい。
【００８６】
スクレイパー３０は、動力手段（図示せず）によって垂直方向に所定キログラムフォース（ｋｇｆ）の圧力を印加して導光板２０を押すようにした状態で、直線移動手段（図示せず）によって表面に沿って矢印方向に直線移動するので、導光板２０の平面をスクレイピング加工して表面に均一な深さ（ｄ１）の溝による散乱パターン３４を成形する。
【００８７】
添付図面では、導光板２０が理想的に偏平な状態のものであると説明する。
【００８８】
本発明による導光板２０の厚さ（ｔ１）は１〜４ミリメートル（ｍｍ）範囲で選択されたいずれか一つにし、２または３ミリメートルの厚さ（ｔ１）を維持することが比較的好ましい。
【００８９】
また、導光板２０の材料として、ポリメチルメタクリレートアクリル樹脂（ＰＭＭＡ：Ｐｏｌｙ−Ｍｅｔｈｙｌ−Ｍｅｔｈａｃｒｙｌａｔｅ）を使うことが好ましい。
【００９０】
このような導光板２０は押出し金型でＰＭＭＡアクリル樹脂を押出して厚さ（ｔ１）に薄くて一定に成形する。
【００９１】
ここで、押出し金型の温度、押出し時間、押出し周期などのような押出し条件及び押出された導光板２０に印加される地球の重力、押出物に印加される張力、押出された導光板２０を移送する押出しローラー、冷却させる時間などの影響によってとても易しく変形されることができる。
【００９２】
また、薄く押出された導光板２０を積載して保管する周辺環境の湿度と温度の変化、保管期間及び微細な凹凸などによって、偏平でない積載台に保管する過程で、導光板２０の外形に変形がとても易しく発生する。
【００９３】
このような変形は導光板２０が歪んで屈曲され、厚さが均一でなくなって扁平度を非常に悪くする。
【００９４】
図５は本発明の一実施例による外形が変形された導光板を説明する図である。
【００９５】
以下、添付図面を参照して詳細に説明すれば、導光板２０は、ＰＭＭＡアクリル樹脂を材料として使い、押出し金型で押出して１〜４ミリメートル（ｍｍ）範囲の厚さ（ｔ１）を有する板材に成形する。ここで、導光板２０は３ミリメートル厚さ（ｔ）の板材に成形することが比較的好ましい。
【００９６】
押出し金型によって押出されるＰＭＭＡアクリル樹脂は高温の半液体状態であり、押出された状態で多数の押出しローラーを通過するにつれて温度が低くなり、導光板２０用板材に安定化及び固体化する。
【００９７】
この際、押出し金型から半液体状態で押出される導光板２０の厚さ（ｔ１）が１〜４ミリメートル（ｍｍ）範囲なので、押出し金型の押出し条件による金型の温度、押出し時間、押出し状態で冷却される時間、地球の重力、押出し周辺環境の湿度と温度、積載して保管する条件、及び環境などによる影響によって伸びるか偏るか撓むなどの変形がとても易しく発生する。
【００９８】
このような変形は数値において非常に微小であるか、導光板を偏平でないようにし、表面に加工される散乱パターンの深さと類似するかあるいはそれより大きい場合には散乱パターンの成形不良が発生する。
【００９９】
したがって、所定大きさの四角形に裁断された導光板２０の各部分で微細な凹凸や屈曲の部分が発生し、このような凹凸や屈曲の部分は理想的に偏平な定常状態と比較すると、約１０〜１５０マイクロメートル（μｍ）範囲の高低差が発生することが確認される。
【０１００】
そして、スクレイパー３０の下端に形成された歯部３２が導光板２０をスクレイピングして成形する散乱パターン３４の溝深さは３〜２０マイクロメートル（μｍ）の範囲である。
【０１０１】
したがって、一実施例と同様に、図面に示す導光板２０の場合、基準面と比較して高低差が発生した領域では散乱パターン３４を正常に成形することができなくて不良が発生することになる。
【０１０２】
すなわち、図面に示すように、導光板２０の両側角領域を基準とし、左側は導光板２０の中央領域がマイナス（−）ｌ１長さだけ下向きに凹んでいるため、両端領域には散乱パターンが成形されるが、中央領域は散乱パターンが成形されなくて不良が発生する。
【０１０３】
また、図面の右側は中央領域がプラス（＋）ｌ２長さだけ上向きに膨らむため、中央領域にだけ散乱パターンが成形されるかまたは中央領域が過度に圧力を受けることにより、散乱パターンが正常に成形されなくなる不良が発生する。
【０１０４】
そして、添付図面には、一実施例として、導光板２０の中間部分が両側面を基準としてマイナス（−）ｌ１長さだけ下向きになったかあるいはプラス（＋）ｌ２長さだけ上向きになったものを示しているが、一部領域が伸びて薄くなるか偏って厚くなるなどの状態があり得、さらにこのような状態が複合的に混合されて非常に多様な形状の変形が発生することができることは明確である。
【０１０５】
図６は本発明の一実施例による変形が発生した状態を説明する導光板の断面図である。
【０１０６】
以下、添付図面を参照して詳細に説明すれば、最上側には厚さ（ｔ１）が均一で理想的に偏平な状態の導光板２０が示されている。
【０１０７】
しかし、実際に押出し成形された導光板２０は、添付図面の中間側に示されたもののように、厚さ（ｔ）が理想的に均一ではない。
【０１０８】
すなわち、導光板２０をｔ１の厚さに押出し成形する場合、前述した地球の重力、金型の押出しと引張強度、温度などのような多様な原因及び周辺環境などによってｔ２のようにｔ１より薄い厚さを持つか、あるいはｔ３のように偏って非常に厚くなるか、あるいはｔ４のようにｔ１より比較的厚い厚さを持つので、平面が偏平にならない変形が発生する。
【０１０９】
また、添付図面の最下側に示されたもののように、ｔ１の厚さに押出し成形された導光板は撓みまたは屈曲が発生して基準面より高いか低い部分が形成される。
【０１１０】
すなわち、導光板２０を押出し成形する周辺環境及び保管する条件などによって厚さが一様でなく、特定部分でマイナス（−）ｌ１長さだけ下向きに撓むかあるいはプラス（＋）ｌ２長さだけ上向きに屈曲または撓みが発生して水平線上で一致しないので、扁平でない変形が発生する。
【０１１１】
一方、実際に押出されて積載された導光板２０は添付図面の中間側に示された変形と最下側に示された変形が混合されて非常に不規則な状態が現れる。
【０１１２】
このような変形の数値がスクレイピング加工される散乱パターンの溝深さである３〜２０マイクロメートルより大きい値であればスクレイピング加工して散乱パターンを成形することができなくなる。
【０１１３】
図７は本発明の一実施例による自動平行調整スクレイパー加工装置の斜視図、図８は本発明の一実施例による自動平行調整スクレイパー加工装置の機能を示す断面図である。
【０１１４】
以下、添付図面を参照して詳細に説明すれば、自動平行調整スクレイパー加工装置４０は、屈曲調整部５０、伝達部６０、第１平行調整部７０、第２平行調整部８０、ヒンジ部９０、及び加工部１００を含んでなる。
【０１１５】
屈曲調整部５０は、駆動部５１、螺糸山５２、駆動ホール５３、伝達ホール５４、駆動胴体部５５、栓ボルト部５６、及びドライバーホール５７を含んでなる。
【０１１６】
駆動部５１は駆動ホール５３の内部に備えられ、弾性によって直線方向駆動力を発生するもので、コイル型（ｃｏｉｌ
ｔｙｐｅ）スプリング（ｓｐｒｉｎｇ）、板型スプリング、ゴム材、エアシリンダー（ａｉｒ ｃｙｌｉｎｄｅｒ）、オイルシリンダー（ｏｉｌ
ｃｙｌｉｎｄｅｒ）などの多様な動力発生手段の中で選ばれたいずれか一つを使うことができる。
【０１１７】
添付図面では、一実施例といて駆動部５１としてコイル型スプリングを示し、以下ではコイル型スプリングが作用するものとして説明する。
【０１１８】
駆動ホール５３は駆動部５１を内部に収納し、上側端の端部が完全に開放され、開放された端部の内側壁には多数の螺糸山５２が形成される。
【０１１９】
また、駆動ホール５３の他端は中央の一部が開放されて伝達ホール５４をなす。
【０１２０】
駆動胴体部５５は、螺糸山５２、駆動ホール５３、及び伝達ホール５４を有する胴体である。
【０１２１】
栓ボルト部５６は駆動ホール５３の開放された一端を塞ぐもので、螺糸山５２と螺合して固定される。
【０１２２】
ドライバーホール５７は栓ボルト部５６の一側に形成され、一字形、十字形、六角形などのネジ用ドライバー工具類によって栓ボルト部５６が螺糸山５２と螺合し、締結深さを調整するように構成することが好ましい。
【０１２３】
すなわち、栓ボルト部５６は駆動ホール５３に駆動部５１が収納された状態で螺糸山５２に螺合するので、駆動部５１が離脱することができないように防止する。
【０１２４】
栓ボルト部５６に形成されたドライバーホール５７は適切なネジ用ドライバーなどの工具によって順方向または逆方向に回転して、栓ボルト部５６が螺糸山５２に沿って移動して締結深さを調節することで駆動ホール５３に収納された駆動部５１の弾性強度を調整し、駆動部５１の弾性強度を調整して直線移動による１段階駆動力の大きさを調整する。
【０１２５】
駆動部５１によって発生する直線方向の駆動力は、加工部１００が導光板に光学的散乱パターンを最適の状態にスクレイピングして加工することができる力を提供する。
【０１２６】
一実施例において、１０ミリメートル（ｍｍ）幅の加工部１００に１０個の歯部を備える場合２キログラムフォース（ｋｇｆ）の駆動力が提供されるようにし、歯部の個数に正比例する駆動力が提供されるように栓ボルト部５６のネジ締結深さを調整することが非常に好ましい。
【０１２７】
すなわち、２０個の歯部を備える場合は４キログラムフォース（ｋｇｆ）の駆動力を、３０個の歯部を備える場合には６キログラムフォース（ｋｇｆ）の駆動力を提供することが好ましい。
【０１２８】
本発明は屈曲調整部５０の構成によって導光板の３次元的（３Ｄ）屈曲面を１段階で精密に追跡する利点がある。
【０１２９】
伝達部６０は屈曲調整部５０と遊動可能に結合し、駆動力を受けて伝達するもので、係止段６１、伝達ヘッド部６２、伝達ロッド部６３、伝達胴体部６４、ヒンジ収納部６５、及びヒンジ軸孔６６を含んでなる。
【０１３０】
伝達ヘッド部６２と伝達ロッド部６３の一側端部は一体的に形成され、伝達ロッド部の他側端部と伝達胴体部６４は熔接、ボンドなどによって接合することができるが、螺合によって結合するように構成することが好ましい。
【０１３１】
伝達ヘッド部６２は、伝達ロッド部６３が結合された状態で、伝達ホール５４に挿入されて遊動可能に結合し、係止段６１によって伝達ホール５４から離脱されることができなく、駆動部５１の駆動力を受けて伝達ロッド部６３を介して伝達胴体部６４に伝達する。
【０１３２】
ここで、伝達胴体部６４の長手方向への両側端部には第１平行調整部７０と第２平行調整部８０がそれぞれ備えられ、下側にはヒンジ収納部６５が形成される。
【０１３３】
添付図面において、第１平行調整部７０と第２平行調整部８０を備えるものとして図示したが、いずれか一つだけ備えるか備えないこともでき、以下に添付図面を参照して詳細に説明する。
【０１３４】
ヒンジ収納部６５は側壁が開放されたものと開放されなかったものでなる構成であり、以下に添付図面を参照してさらに説明する。
【０１３５】
ヒンジ収納部６５の側壁にはヒンジ軸孔６６が形成される。
【０１３６】
第１平行調整部７０と第２平行調整部８０はそれぞれ伝達部６０の胴体６４の長手方向両端部にそれぞれ備えられ、内部の弾性で駆動力を発生して、遊動可能に結合された平行ロッド部７７、７８に出力するもので、互いに同一の構成及び作用をする。以下に添付図面を参照して詳細に説明する。
【０１３７】
ヒンジ部９０は伝達部６０と回動可能に結合した状態で駆動力を伝達するもので、ヒンジ軸９１、ヒンジホール９２、及びヒンジロッド９３を含んでなる。
【０１３８】
ヒンジ軸９１は伝達部６０のヒンジ軸孔６６に挿入されて固定結合され、ヒンジホール９２はヒンジ軸９１に回転可能に結合される。
【０１３９】
ここで、ヒンジ軸９１とヒンジホール９２は３〜４ミリメートル（ｍｍ）の直径を有し、ヒンジホール９２は円形、楕円形及び三角形の中で選ばれたいずれか一つの形状を有することができるが、三角形が比較的好ましいことを以下に添付図面を参照して詳細に説明する。
【０１４０】
ヒンジロッド９３はヒンジホール９２を有し、ヒンジ軸９１を介して印加された駆動力を伝達する。
【０１４１】
添付図面において、ヒンジホール９２は一実施例による円形を示しているが、他の実施例においては、楕円形または三角形の形状が可能である。
【０１４２】
加工部１００はヒンジ部９０に固定的に結合され、平行ロッド部７０、８０の駆動力によって平行に調整された状態で駆動力を受け、規格化した幅に整数倍備えられた多数の歯部で光学的散乱パターンの溝を加工するもので、複数の加工肩部１０１、加工胴体部１０２、及び多数の歯部１０５を含んでなる。
【０１４３】
加工肩部１０１は第１及び第２平行調整部７０、８０を構成する平行ロッド部７７、７８と接触して平行を調整する駆動力を直接受ける。
【０１４４】
加工胴体部１０２はヒンジロッド９３から印加される駆動力を規格化した幅と広い面積による面単位の駆動力に拡散または変換し、さらに同一幅の線単位の駆動力に変換し、線単位の駆動力は下端に一列に備えられた歯部１０５に供給される。
【０１４５】
加工胴体部１０２の幅（ｗ）は単位当たり１０〜２０ミリメートル（ｍｍ）に規格化することが好ましく、所定範囲内で±誤差を許容することが非常に好ましい。
【０１４６】
歯部１０５は導光板に光学的散乱パターンを直接加工するもので、幅が１０〜２０ミリメートル（ｍｍ）に単位化された加工胴体部１０２に１０個備えることが比較的好ましい。
【０１４７】
ここで、歯部１０５は所定大きさのピッチ（ｐｉｔｃｈ）と深さ（ｄｅｐｔｈ）を有する。
【０１４８】
一実施例において、歯部１０５のピッチ（ｐ）は０．２ミリメートル（ｍｍ）〜２ミリメートルの範囲で選ばれたいずれか一つの値で離隔されることが好ましい。
【０１４９】
それぞれのピッチは数〜数十マイクロメートル（μｍ）単位で非常に微細な差があり得る。
【０１５０】
歯部１０５は加工部１００幅のどの一側端面から反対側端面に行くほどピッチが順次微細に小さくなるように構成することが好ましい。
【０１５１】
すなわち、多数の歯部１０５がそれぞれ異なるピッチ（ｐ）値を持つ場合、規格化した加工胴体部１０２の幅（ｗ）はそれぞれ異なることができるので、歯部１０５は１０個を基準とし、幅（ｗ）は１０〜２０ミリメートルを基準としてそれぞれ所定の±誤差を許容することが好ましい。
【０１５２】
一方、歯部１０５はグループ（ｇｒｏｕｐ）単位で同一間隔のピッチ値を持つようにすることもでき、各グループに含まれる歯部１０５は隣接した２〜３個程度が比較的好ましいが、規格化した単位の加工部１００に備えられるすべての歯部１０５のピッチを同一値で構成することもできる。
【０１５３】
それぞれの歯部１０５の深さは導光板に加工される散乱パターンの溝深さと同一であり、３マイクロメートル（μｍ）〜８０マイクロメートル（μｍ）の範囲で選ばれたいずれか一つの値に構成することが好ましい。
【０１５４】
第１平行調整部７０、第２平行調整部８０、ヒンジ部９０、及び加工部１００の構成によって導光板の３次元的（３Ｄ）屈曲面を２段階で精密に追跡する。
【０１５５】
したがって、本発明の構成は、導光板が屈曲したか歪んだ状態の表面を２段階で精密に追跡しながら微細な光学的散乱パターンの溝を切れなしに正確に連続して加工する利点がある。
【０１５６】
図９は本発明の一実施例による自動平行調整スクレイパー加工装置のヒンジ収納部に対する機能を示す斜視図である。
【０１５７】
以下、添付図面を参照して詳細に説明すれば、一実施例によれば、左側には側壁が開放されなかったヒンジ収納部６５、このヒンジ収納部６５と回動可能に結合するヒンジロッド９３、及び楕円形のヒンジホール９２が示されている。
【０１５８】
右側には、他の実施例として、側壁が開放されたヒンジ収納部６５、このヒンジ収納部６５に回動可能に挿合するヒンジロッド９３、及び三角形のヒンジホール９２が示されている。
【０１５９】
ヒンジホール９２は楕円形と三角形をそれぞれ示しているが、円形、楕円形、及び三角形の中で選ばれたいずれか一つの形状を有することができる。
【０１６０】
本発明は側壁が開放されるかあるいは開放されなかったヒンジ収納部６５を選択し、円形、楕円形、及び三角形のヒンジホール９２の中でいずれか一つを選択する多様な組合せで構成することができるのは自明である。
【０１６１】
また、それぞれのヒンジ収納部６５にはヒンジ軸孔６６が形成され、ヒンジ軸孔６６にはヒンジ軸９１が挿入されて固定結合する。
【０１６２】
両側の側壁が開放されたヒンジ収納部６５と回動可能に結合するヒンジロッド９３は中央を基準として分離されて両側に対称に分けられた形状である。側壁が開放されなかったヒンジ収納部６５と回動可能に結合するヒンジロッド９３は一つでなり、挿入が容易な形状を有する。
【０１６３】
このようなヒンジロッド９３に形成されたヒンジホール９２にはヒンジ軸９１が回動可能に結合する。
【０１６４】
図１０は本発明の他の実施例による自動平行調整スクレイパー加工装置の機能を示す斜視図である。
【０１６５】
以下、添付図面を参照して詳細に説明すれば、添付の図８の構成に比べ、ヒンジ部９０が伝達部６０の中心に位置せずに一側方向にかたよって構成されることに違いがあり、その他の構成は同一である。
【０１６６】
添付図面にはヒンジ部９０が自動平行調整スクレイパー加工装置４０の中心軸線から右側方向に偏った状態が示されているが、左側方向に偏ることもできる。
【０１６７】
よって、導光板の表面に対して平行になるように２段階で駆動力を発生する平行調整部７０は一つだけ構成しても良い。
【０１６８】
さらに他の実施例として、添付の図８の構成と同様にヒンジ部９０のみを構成し第１平行調整部７０と第２平行調整部８０をまったく構成しないこともできる。
【０１６９】
図１１は本発明のさらに他の実施例による自動平行調整スクレイパー加工装置の機能を示す断面図である。
【０１７０】
以下、添付図面を参照して詳細に説明すれば、添付の図８の構成に比べ、第１平行調整部７０と第２平行調整部８０が水平状態に構成され、ヒンジロッド９３がもっと長く形成されてヒンジホール９２の上側部に平行棒部１０３を構成することに違いがあり、その他の構成は同一である。
【０１７１】
ここで、第１及び第２平行調整部７０、８０は平行棒部１０３の上側一端にそれぞれ接触して加工部１００の平行を調整する駆動力を直接提供する。
【０１７２】
平行棒部１０３が分離して多数を構成すれば、第１及び第２平行調整部７０、８０を一つずつ備え、選択されたいずれか一方の両側にそれぞれ接触するか、あるいはそれぞれ多数を備えて選択されたいずれか一つ以上の平行棒部１０３の両側にそれぞれ接触するようにすることができる。
【０１７３】
ヒンジ軸９１の中心から平行棒部１０３の上側までの距離が長いほど、かつヒンジ軸９１の中心から歯部１０５までの距離に比べて大きいほど、第１平行調整部７０と第２平行調整部８０は低い駆動力で平行を調整することができる。
【０１７４】
図１２は本発明の一実施例による自動平行調整スクレイパー加工装置の平行調整部の機能を示す断面図である。
【０１７５】
以下、添付図面を参照して詳細に説明すれば、第１及び第２平行調整部７０、８０のそれぞれは、伝達胴体部６０の長手方向の両側端部に平行ホール７１、７２をそれぞれ有する。
【０１７６】
平行ホール７１、７２は一側端部が開放されるとともに内側面の一部に螺糸山が形成され、他側端部は部分的に開放される。
【０１７７】
平行弾性部７３、７４はコイル型スプリング、板型スプリング、ゴム材、エアシリンダー、オイルシリンダーなどの多様な動力発生手段の中で選ばれたいずれか一つでなる。
【０１７８】
平行弾性部７３、７４は平行ホール７１、７２に挿入され、螺糸山が形成された部分にはバタフライボルト部７５、７６が螺合して締結される。
【０１７９】
平行ホール７１、７２の部分的に開放された他側端部には、平行弾性部７３、７４との間に平行ロッド部７７、７８が遊動可能に挿合される。
【０１８０】
平行ロッド部７７、７８の端部は半球形を有し、加工部１００を構成する加工肩部１０１に接触する。
【０１８１】
平行弾性部７３、７４によって平行ロッド部７７、７８は平行を調整する２段階の駆動力を発生し、発生した駆動力は平行ロッド部７７、７８を介して加工肩部１０１に印加される。
【０１８２】
すなわち、第１及び第２平行調整部７０、８０の構成によってヒンジ部９０に回動可能に結合した加工部１００が導光板の表面と接触する場合、加工部１００は平行を維持し、加工部１００が導光板の一部表面に形成された屈曲面に接触する場合は、該当の屈曲面を追跡しながら平行状態で接触するように傾く。
【０１８３】
図１３は本発明の一実施例による自動平行調整スクレイパー加工装置の三角形ヒンジホールの作用を説明する断面図である。
【０１８４】
以下、添付図面を参照して詳細に説明すれば、この実施例においては、ヒンジ部９０のヒンジホール９２が一例として三角形のものとして示されている。
【０１８５】
ここで、ヒンジホール９２は三角形のものとして示されているが、円形または楕円形に構成可能であることは自明である。
【０１８６】
左側には、導光板の表面が右側方向に傾くかまたは屈曲した状態を第１平行調整部７０と第２平行調整部８０によって加工部１００が追跡した状態を示している。
【０１８７】
加工胴体部１０２と歯部１０５を含む加工部１００は右側方向に屈曲するかまたは傾いた導光板の表面を追跡して同様に右側方向に傾いた状態が示されている。
【０１８８】
すなわち、屈曲するかまたは傾いた導光板の該当の表面による断面がなす直線と断面による加工胴体部１０２の歯部１０５の端部がなす直線が互いに平行になって接触するので、多数の歯部１０５が屈曲した導光板の表面にすべて接触する状態である。
【０１８９】
三角形ヒンジホール９２の左側頂点はヒンジ軸９１を安定状態に維持し、右側方向に屈曲した導光板の表面に加工胴体部１０２の端部に形成された歯部１０５が平行に接触して屈曲調整部の駆動力が正確に伝達されるようにする。
【０１９０】
よって、右側方向に屈曲した導光板の表面に微細な光学的散乱パターンを精密で均一に加工する。
【０１９１】
中間側には、加工胴体部１０２と歯部１０５を含む加工部１００が水平な導光板の表面に平行状態で接触した状態が示されている。
【０１９２】
三角形ヒンジホール９２の中間上頂点はヒンジ軸９１を安定状態に維持するとともに歯部１０５が水平な導光板の表面に平行に接触するようにすることで、屈曲調整部の駆動力で微細な光学的散乱パターンを均一で精密に加工する。
【０１９３】
右側には、左側方向に傾くかまたは屈曲した導光板の表面に沿って加工部１００が左側方向に傾いて平行を成して接触した状態が示されている。
【０１９４】
すなわち、加工部１００は左側方向に傾くかまたは屈曲した導光板表面を第１平行調整部７０と第２平行調整部８０によって追跡するので、平行に接触した状態である。
【０１９５】
三角形ヒンジホール９２は右側頂点にヒンジ軸９１を安定状態に維持するとともに歯部１０５が左側方向に屈曲した導光板の表面に平行に接触するようにし、屈曲調整部の駆動力を伝達して導光板の表面に微細な散乱パターンを均一で精密に加工する。
【０１９６】
本発明において、加工部１００が左側または右側に傾く角度は±５度の範囲内で左側または右側に傾くようにすることが好ましい。
【０１９７】
したがって、加工部１００の幅は１０〜２０ミリメートル（ｍｍ）の範囲であり、導光板に約０．００１ミリメートル高さ（ｌ）の屈曲が発生しても、屈曲面に対して平行に追跡しながら微細な散乱パターンを切れなしに連続して精密に加工することができる利点がある。
【０１９８】
図１４は本発明の一実施例による自動平行調整スクレイパー加工装置を一直線状に多数連結したスクレイパー加工装置アセンブリーの組立状態を示す斜視図である。
【０１９９】
以下、添付図面を参照して詳細に説明すれば、本発明の一実施例によるスクレイパー加工装置アセンブリー１１０は、規格化した自動平行調整スクレイパー加工装置４０の多数を一列で連続して配置し、固定部１１２によって固定結合する。
【０２００】
スクレイパー加工装置アセンブリー１１０は駆動装置（図示せず）によって上下及び左右への指定方向に移動することができる。
【０２０１】
スクレイパー加工装置アセンブリー１１０のそれぞれの規格化した自動平行調整スクレイパー加工装置４０は、歯部１０５のピッチ値が順次小さくなるか大きくなる値である。
【０２０２】
すなわち、規格化した第１単位（ｗ１）アセンブリースクレイパー４０の左側面に備えられた歯部１０５から第２単位（ｗ２）、第３単位（ｗ３）、そして最後の第ｎ単位（ｗｎ）の右側面に備えられる歯部１０５の各ピッチ値（ｐ）は順次小さくなるものとして添付図面に示している。
【０２０３】
この際、それぞれの自動平行調整スクレイパー４０に備えられる歯部１０５は谷部を基準として切断し、それぞれの歯部のピッチ値を合わせれば幅（ｗ）値になる。
【０２０４】
したがって、スクレイバー加工装置アセンブリー１１０の第１単位の幅（ｗ１）、第２単位の幅（ｗ２）、第３単位の幅（ｗ３）、そして第ｎ単位の幅（ｗｎ）はそれぞれ異なることができるが、絶対値による最小誤差となるように構成する。
【０２０５】
スクレイパー加工装置アセンブリー１１０において、規格化した各単位の自動平行調整スクレイパー加工装置４０はそれぞれ備えられた歯部１０５の個数に正比例するキログラムフォース（ｋｇｆ）の駆動力を発生するように屈曲調整部５０の駆動部５１を構成する。
【０２０６】
すなわち、歯部１０５が多いか少ないことにかかわらず、それぞれの歯部１０５に均一な強度の駆動力が供給されるようにすることが非常に好ましい。
【０２０７】
導光板の光源に近い部分に形成されるそれぞれの散乱パターン溝の間隔は許容範囲内で最大間隔を持つようにするので、歯部１０５のピッチ値が最高になるようにし、光源から遠いほどピッチ値が小さくする。
【０２０８】
歯部１０５のピッチ値を異にすることは、光源に近い部分は入射する光の輝度が高いので散乱を小さくしても良く、光源から遠い部分は入射する光の輝度が小さいので散乱を大きくして導光板の表面の全面にわたって均一な輝度の面光源が発生するようにする。
【０２０９】
したがって、スクレイパー加工装置アセンブリー１１０において、光源からの距離が遠い部分に散乱パターンを加工する自動平行調整スクレイパー加工装置４０は、許容範囲内で最小値のピッチを有し、光源に近い部分を加工する自動平行調整スクレイパー加工装置４０は許容範囲内で最大値のピッチを有する。
【０２１０】
歯部１０５のピッチが大きければ規格化した単位の自動平行調整スクレイパー加工装置４０に備えられる歯部１０５の個数が少なくなることができ、歯部１０５のピッチが小さければ個数が多くなることができるが、歯部１０５の個数は１０個内で最小誤差を有するように備えることが比較的好ましい。
【０２１１】
本発明において、歯部１０５のピッチとして許容された範囲は０．２〜２ミリメートル（ｍｍ）の範囲であり、これから選ばれたいずれか一つの値をピッチとする。
【０２１２】
一方、選択された光学的散乱パターンの設計によって各単位の自動平行調整スクレイパー加工装置４０に備えられる歯部１０５のピッチ（ｐ）値をグループ単位で集め、順次小さくなる値にするか、順次大きくなる値にすることができる。
【０２１３】
他の実施例において、ピッチの値を交互に配置するか規則または不規則に組み合わせることができ、導光板の中央部のピッチ値は最も小さくて両側端部のピッチ値は最も大きくなるようにするかあるいはその反対の場合となるようにすることができる。
【０２１４】
また、このような多様な方式の中でいずれか一つ以上を選択して組み合わせることもできる。
【０２１５】
それぞれの歯部１０５は、導光板に３〜８０マイクロメートル（μｍ）範囲の深さを有する多数の溝の光学的散乱パターンを形成するために、均一な駆動力で導光板に圧力を印加することが好ましい。
【０２１６】
スクレイパー加工装置アセンブリー１１０の全長（Ｗｘ）は光学的散乱パターンが加工される導光板のサイズによって異なり、２００ミリメートル（ｍｍ）〜８２０ミリメートル（ｍｍ）の範囲内で選ばれたいずれか一つにすることができ、１０００ミリメートル以上まで易しく確張した状態に構成することができる。
【０２１７】
以上、本発明を前記具体例について詳細に説明したが、本発明の技術思想範囲内で多様な変形及び修正が可能であることは当業者に明らかなものであり、このような変形及び修正は添付の特許請求範囲に属することは言うまでもない。
【産業上の利用可能性】
【０２１８】
本発明は、導光板表面の３次元的屈曲面を２段階で精密に追跡しながら微細な光学的な散乱パターンを正確で切れないように連続的に加工する自動平行調整スクレイパー加工装置に適用可能である。
【符号の説明】
【０２１９】
４０    自動平行調整スクレイパー加工装置
５０    屈曲調整部
５１    駆動部
５２    螺糸山
５３    駆動ホール
５４    伝達ホール
５５    駆動胴体部
５６    栓ボルト部
５７    ドライバーホール
６０    伝達部
６１    係止段
６２    伝達ヘッド部
６３    伝達ロッド部
６４    伝達胴体部
６５    ヒンジ収納部
６６    ヒンジ軸孔
７０    第１平行調整部
７１、７２    平行ホール
７３、７４    平行弾性部
７５、７６    バタフライボルト部
７７、７８    平行ロッド部
８０    第２平行調整部
９０    ヒンジ部
９１    ヒンジ軸
９２    ヒンジホール
９３    ヒンジロッド
１００    加工部
１０１    加工肩部
１０２    加工胴体部
１０３    平行棒部
１０５    歯部
１１０    スクレイパー加工装置アセンブリー
１１２    固定部
【図１】
2011245613.tif 000003
【図２】
2011245613.tif 000004
【図３】
2011245613.tif 000005
【図４】
2011245613.tif 000006
【図５】
2011245613.tif 000007
【図６】
2011245613.tif 000008
【図７】
2011245613.tif 000009
【図８】
2011245613.tif 000010
【図９】
2011245613.tif 000011
【図１０】
2011245613.tif 000012
【図１１】
2011245613.tif 000013
【図１２】
2011245613.tif 000014
【図１３】
2011245613.tif 000015
【図１４】
2011245613.tif 000016